(57)【要約】【課題】設置が容易で、防音性能の高い可動間仕切を提供する。【解決手段】本体を形成するパネル部１０と、このパネル部１０の上端１５又は下端１６の少なくとも一方に設けた移動手段２１，２２と、を備える間仕切りユニット１を、複数接続して形成される可動間仕切Ｗである。  この間仕切りユニット１は、パネル部の上縁１１，１１全体に取り付けられる可撓性の上側スカート部３１，３１と、パネル部の下縁１２，１２全体に取り付けられる可撓性の下側スカート部３２，３２とを備えている。  そして、壁として使用する際に、上側スカート部３１，３１は天井面６に接するとともに、下側スカート部３２，３２は床面７に接する。【選択図】図１
2008156855.tif 000002
【特許請求の範囲】
【請求項１】
本体を形成するパネル部と、該パネル部の上端又は下端の少なくとも一方に設けた移動手段と、を備える間仕切りユニットを、複数接続して形成される可動間仕切であって、
前記間仕切りユニットは、前記パネル部の上縁全体に取り付けられる可撓性の上側スカート部と、前記パネル部の下縁全体に取り付けられる可撓性の下側スカート部と、を備え、
壁として使用する際に、前記上側スカート部は天井面に接するとともに、前記下側スカート部は床面に接することを特徴とする可動間仕切。
【請求項２】
前記間仕切りユニットは、一方の接続方向の端面全体に沿って弾性材料によって突条が形成されるとともに、他方の接続方向の端面全体が弾性材料によって前記突条に嵌合するように形成されることを特徴とする請求項１に記載の可動間仕切。
【請求項３】
前記移動手段は、天井面又は床面に沿って移動可能な車輪であり、該車輪を支持する支持部が前記パネル部に上下方向に移動可能に取り付けられるとともに、床面及び天井面に凹部が形成されて、
壁として使用する際に、前記凹部に前記車輪が嵌入されることを特徴とする請求項１又は請求項２に記載の可動間仕切。
【請求項４】
前記床面の凹部は、溝状に形成され、
壁として使用する際に、前記溝状の凹部に格納された前記間仕切りユニットの高さと略同等の長さの柱状部材が取り出されて、常設壁と端部の前記間仕切りユニットの接続方向の端面との間に挟まれることを特徴とする請求項３に記載の可動間仕切。
【請求項５】
前記パネル部は上端に上下方向に移動できる小壁を備え、天井面及び床面には溝状の凹部が形成されて、
壁として使用する際に、前記天井面の凹部に前記小壁の上縁が嵌入されるとともに、前記床面の凹部に前記パネル部の下縁が嵌入されることを特徴とする請求項１に記載の可動間仕切。
【発明の詳細な説明】
【技術分野】
【０００１】
本発明は、建物の中の部屋を小さな部屋に仕切るための、可動間仕切に関するものである。
【背景技術】
【０００２】
従来、可動間仕切を用いることによって、建物の中の部屋を小さな部屋に仕切ることが行われている。
【０００３】
例えば、オフィスビルの大きな会議室を、使用人数に合わせて小さく仕切って使用することや、住宅の大きな居室を子供の人数に合わせて小さく仕切って使用することなどが知られている。
【０００４】
このような可動間仕切として、床面にレールを設けて間仕切りユニットを移動させたり、天井面にレールを設けて間仕切りユニットを移動させたりすることが行われている。
【０００５】
しかし、上記したような可動間仕切では、間仕切りユニットの上側又は下側に可動構造とするための隙間があることで、隙間から音が漏れるという問題があった。
【０００６】
そこで、特許文献１に記載されているような可動間仕切の防音構造などが知られている。
【０００７】
この特許文献１に記載されている可動間仕切の防音構造は、間仕切りパネルの側面に上下方向に移動可能に取り付けられた防音板を備えたことを特徴としている。
【０００８】
このように間仕切りユニットを構成することで、隙間を塞いで防音性能を高めることができる。
【０００９】
また特許文献２に記載されているように、建具の内部に吸音材を備えた空隙を設けることで、優れた防音性能を有する換気機能付き建具が知られている。
【特許文献１】特開２００６−１２５１０４号公報
【特許文献２】特開２００６−１５２６６５号公報
【発明の開示】
【発明が解決しようとする課題】
【００１０】
しかしながら、前記した特許文献１のような間仕切りの防音構造では、間仕切りユニット自体に移動手段が設けられておらず、間仕切りユニットが重い場合などに、間仕切りユニットの設置が困難となるおそれがあった。
【００１１】
また、防音板の移動に手間がかかるため、頻繁に間仕切りユニットを移動させる場合には不向きとなる場合があった。
【００１２】
さらに、前記した特許文献２のような建具の防音構造では、建具と壁との隙間が防音構造となっていないと、防音性能が低下するという問題があった。
【００１３】
そこで、本発明は、設置が容易で、防音性能の高い可動間仕切を提供することを目的としている。
【課題を解決するための手段】
【００１４】
前記目的を達成するために、本発明の可動間仕切は、本体を形成するパネル部と、該パネル部の上端又は下端の少なくとも一方に設けた移動手段と、を備える間仕切りユニットを、複数接続して形成される可動間仕切であって、前記間仕切りユニットは、前記パネル部の上縁全体に取り付けられる可撓性の上側スカート部と、前記パネル部の下縁全体に取り付けられる可撓性の下側スカート部と、を備え、壁として使用する際に、前記上側スカート部は天井面に接するとともに、前記下側スカート部は床面に接することを特徴としている。
【００１５】
また、前記間仕切りユニットは、一方の接続方向の端面全体に沿って弾性材料によって突条が形成されるとともに、他方の接続方向の端面全体が弾性材料によって前記突条に嵌合するように形成されることが好ましい。
【００１６】
さらに、前記移動手段は、天井面又は床面に沿って移動可能な車輪であり、該車輪を支持する支持部が前記パネル部に上下方向に移動可能に取り付けられるとともに、床面及び天井面に凹部が形成されて、壁として使用する際に、前記凹部に前記車輪が嵌入されることが好ましい。
【００１７】
そして、前記床面の凹部は、溝状に形成され、壁として使用する際に、前記溝状の凹部に格納された前記可動間仕切の高さと略同等の長さの柱状部材が取り出されて、常設壁と端部の前記間仕切りユニットの接続方向の端面との間に挟まれることが好ましい。
【００１８】
また、前記パネル部は上端に上下方向に移動できる小壁を備え、天井面及び床面には溝状の凹部が形成されて、壁として使用する際に、前記天井面の凹部に前記小壁の上縁が嵌入されるとともに、前記床面の凹部に前記パネル部の下縁が嵌入されることもできる。
【発明の効果】
【００１９】
このように、本発明の可動間仕切は、間仕切りユニットのパネル部の上縁全体に取り付けられる可撓性の上側スカート部と、下縁全体に取り付けられる可撓性の下側スカート部とを備えている。
【００２０】
そして、壁として使用する際に、上側スカート部は天井面に接するとともに、下側スカート部は床面に接することを特徴としている。
【００２１】
この上側及び下側のスカート部は、天井面又は床面に接することで、間仕切りユニットと天井面又は床面との隙間を埋めるため、この隙間を通じて一方の部屋から他方の部屋へと音が漏れることを防ぐことができる。
【００２２】
さらに、上側及び下側のスカート部は可撓性を有するため、壁の設置時の天井面及び床面との間の摩擦抵抗が小さい。
【００２３】
したがって、あらかじめ間仕切りユニットに取り付けておくことができるため、設置時に取り付け作業をする必要がなく、壁を迅速に設置できる。
【００２４】
また、間仕切りユニットは、一方の接続方向の端面全体に沿って突条が形成されるとともに、他方の端面全体が突条に嵌合するように形成されるため、間仕切りユニット間の一体性を高めるとともに、間仕切りユニット間の隙間から音が漏れることを防ぐことができる。
【００２５】
さらに、移動手段として車輪を設けるとともに、床面及び天井面に凹部を形成し、壁として使用する際に、天井面及び床面に設けられた凹部に車輪が嵌入される。
【００２６】
このため、壁の設置時に位置決めが容易となるとともに、壁として使用する際に壁を固定することができる。
【００２７】
そして、床面に溝状の凹部を形成し、壁として使用する際に、この溝状の凹部から柱状部材が取り出されて、常設壁と端部の間仕切りユニットの端面との間に挟むことで、壁として使用しない際には、床面の凹部を埋めることができるとともに、壁として使用する際には、端部の間仕切りユニットの端面と常設壁とを隙間なく接続することができる。
【００２８】
また、パネル部の上端に、上下方向に移動できる小壁を内蔵し、壁として使用する際に、天井面の凹部に小壁の上縁が嵌入されるとともに、床面の凹部にパネル部の下縁が嵌入されることで、更に高い防音性能を得ることができる。
【発明を実施するための最良の形態】
【００２９】
以下、本発明の最良の実施の形態について図面を参照して説明する。
【００３０】
まず、図２を用いて、可動間仕切Ｗの構成を説明する。この可動間仕切Ｗは、建物の内部において空間を仕切るために設けられ、複数の間仕切りユニット１，・・・と、天井面６に設けた凹部としてのレール部４１と、床面７に設けた凹部としてのレール部４２とから構成されている。
【００３１】
図２に示したように、一方の間仕切りユニット１の端面と、他方の間仕切りユニット１の端面とを接続することで、可動間仕切Ｗを形成することができる。
【００３２】
このように、可動間仕切Ｗを複数の間仕切りユニット１，・・・から形成することで、それぞれの間仕切りユニット１の大きさを小さくすることができる。
【００３３】
このため、可動間仕切Ｗとして使用しない際には、間仕切りユニット１，・・・を重ねて収納するなどして、収納スペースを小さくすることができるとともに、それぞれの間仕切りユニット１を軽量にすることができる。
【００３４】
なお、この間仕切りユニット１は、ヒンジ１７などによって相互に連結されているが（図４参照）、連結されずにそれぞれが独立していてもよい。
【００３５】
また、天井面６のレール部４１は、金属などを加工することによって、断面コ字状の溝として形成されたものであり、可動間仕切Ｗの設置予定位置に沿って天井面６に埋設されている。
【００３６】
同様に、床面７のレール部４２は、金属などを加工することによって、断面コ字状の溝として形成されたものであり、可動間仕切Ｗの設置予定位置に沿って床面７に埋設されている。
【００３７】
さらに、これらのレール部４１，４２は、後述する車輪２１，２１，２２，２２の壁厚方向の幅と略同等の幅に形成されるとともに、車輪２１，２１，２２，２２の取付け軸の可動範囲と略同等の深さに形成される。
【００３８】
加えて、これらのレール部４１，４２は、後述する間仕切りユニット１のパネル部１０の壁厚方向の幅よりも、小さい幅となるように形成される。
【００３９】
次に、図１及び図３を用いて、間仕切りユニット１の構成を説明する。この間仕切りユニット１は、完成時に可動間仕切Ｗの壁本体を形成するパネル部１０と、パネル部１０の上端１５及び下端１６に設けた移動手段としての車輪２１，２１，２２，２２と、パネル部１０の両側面の上縁１１，１１全体に取り付けられる可撓性の上側スカート部３１，３１と、パネル部１０の両側面の下縁１２，１２全体に取り付けられる可撓性の下側スカート部３２，３２と、一方の接続方向の端面全体に沿って設けられた突条１４と、他方の接続方向の端面全体に設けられた凹条１３と、によって構成されている。
【００４０】
このパネル部１０は、木製などの枠組と、枠組の表面に貼られる樹脂製などの面材とから構成されている。
【００４１】
なお、枠組としては、金属製や樹脂製のものを用いることができるし、面材としては、木製のものや石膏ボードなどを用いることもできる。
【００４２】
また、車輪２１，２１，２２，２２は、タイヤと、タイヤの回転軸と、パネル部１０に対する支持部としての取付け軸などによって主に構成される（図３参照）。
【００４３】
このうち、パネル部１０の上端に設ける車輪２１，２１では、取付け軸がパネル部１０に対して上下方向に移動できるように構成されているとともに、この取付け軸にスプリング２１ａ，２１ａが備えられている。
【００４４】
したがって、天井面６の凹凸に追従して、車輪２１，２１が上下することができる。
【００４５】
一方、パネル部１０の下端に設ける車輪２２，２２は、取付け軸をパネル部１０に対して固定して、間仕切りユニット１の荷重を支持させる。
【００４６】
また、パネル部１０の上縁１１，１１に取り付けられるスカート部３１，３１は、鉛入り樹脂などによって長尺のシート状に形成され、パネル部１０の上端１５から突出するように接着剤やビスなどによって下縁側が固定されている。
【００４７】
同様に、下縁１２，１２に取り付けられるスカート部３２，３２は、鉛入り樹脂などによって長尺のシート状に形成され、パネル部１０の下端１６から突出するように接着剤やビスなどによって上縁側が固定されている。
【００４８】
また、本実施の形態の可動間仕切Ｗでは、図３及び図４に示すように、間仕切りユニット１の一方の接続方向の端面に沿って、平面視略半円形の突条１４が形成されている。
【００４９】
この突条１４はゴムなどの弾性材料によって形成され、接着剤やビスなどによってパネル部１０の端面に固定されている。
【００５０】
同様に、図３及び図４に示すように、間仕切りユニット１の他方の接続方向の端面に沿って、平面視円弧状の凹条１３が形成されている。
【００５１】
この凹条１３はゴムなどの弾性材料によって形成され、接着剤やビスなどによってパネル部１０の端面に固定されている。
【００５２】
なお、上記した突条１４は、半円形に限定されるものではなく、矩形状、三角形状、波状などいずれの形状でもよいし、凹条１３はこの突条１４に嵌合する形状であればよい。
【００５３】
次に、図１乃至図４を参照しながら、本実施の形態の可動間仕切の作用について説明する。
【００５４】
本実施の形態の可動間仕切Ｗは、図１及び図３に示したように、間仕切りユニット１のパネル部１０の上縁１１，１１に取り付けられる可撓性の上側スカート部３１，３１と、下縁１２，１２に取り付けられる可撓性の下側スカート部３２，３２とを備えている。
【００５５】
そして、壁として使用する際に、上側スカート部３１，３１は天井面６に接するとともに、下側スカート部３２，３２は床面７に接することを特徴としている。
【００５６】
この上側及び下側のスカート部３１，３１，３２，３２は、天井面６又は床面７に接することで、間仕切りユニット１と天井面６及び床面７との隙間を埋めるため、この隙間を通じて一方の部屋から他方の部屋へと音が漏れることを防ぐことができる。
【００５７】
すなわち、スカート部３１，３１，３２，３２は、パネル部１０の側面に突出して取り付けられていることで、壁として使用する際には、レール部４１，４２の外側の天井面及び床面に接することになる。
【００５８】
この際、スカート部３１，３１，３２，３２は可撓性を有することで、天井面６及び床面７に隙間なく接することができる。
【００５９】
したがって、一方の部屋で音が発生した場合に、間仕切りユニット１と天井面６及び床面７との隙間を通じて、他方の部屋に音が漏れることを防ぐことができる。
【００６０】
また、このように、両側にスカート部３１，３１（３２，３２）を設けることで、隙間を確実に埋めることができるとともに、二重構造とすることによってさらに防音性能を高めることができる。
【００６１】
そして、後述するように、溝状の凹部に車輪２２，２２が嵌入することで、間仕切りユニット１が下方に移動するため、間仕切りユニット１と床面７との隙間が小さくなるとともに、下側スカート部３２，３２が下方に圧縮されつつ床面７と接することで、下側の防音性能が高くなる。
【００６２】
また、上側及び下側のスカート部３１，３１，３２，３２は、可撓性を有するため、可動間仕切Ｗの設置時に間仕切りユニット１を移動する際にも、天井面６及び床面７との間の摩擦抵抗を小さくすることができる。
【００６３】
このため、スカート部３１，３１，３２，３２は、あらかじめ間仕切りユニット１に取り付けておくことができる。
【００６４】
したがって、設置時に取付け作業をする必要がなく、壁を迅速に設置することができる。
【００６５】
さらに、上側及び下側のスカート部３１，３１，３２，３２によって、天井面６及び床面７と圧縮されて接続されることで、壁として使用する際に、間仕切りユニット１とレール部４１，４２との間の遊びにもとづくガタつきを防止することができる。
【００６６】
また、本実施の形態の可動間仕切Ｗは、図３及び図４に示したように、間仕切りユニット１の一方の端面に沿って突条１４が設けられるとともに、他方の端面に沿って凹条１３が設けられる。
【００６７】
このため、間仕切りユニット１，１間の接続部の一体性を高めることができるとともに、一方の間仕切りユニット１と他方の間仕切りユニット１の接続部の隙間から音が漏れるのを防ぐことができる。
【００６８】
すなわち、嵌合することによって、間仕切りユニット１を壁厚方向及び接続方向の二方向に固定することができる上に、一方の間仕切りユニット１と他方の間仕切りユニット１との接触面が広くなるため、防音性能を高めることができる。
【００６９】
さらに、突条１４は弾性材料によって形成されるため、壁の設置時に間仕切りユニット１を接続する際の衝撃を吸収することができる上、壁として使用する際には弾性変形することで接触面の密着性を高めることができる。
【００７０】
また、本実施の形態の可動間仕切Ｗは、図１及び図３に示したように、移動手段として車輪２１，２１，２２，２２を設けるとともに、天井面６及び床面７にレール部４１，４２を形成し、壁として使用する際に、このレール部４１，４２に車輪２１，２１，２２，２２が嵌入される。
【００７１】
このように、車輪２１，２１，２２，２２を備えることによって、壁の設置時には、間仕切りユニット１を、人力などで容易に動かすことができる。
【００７２】
この場合、下側の車輪２２，２２は、間仕切りユニット１の自重によって床面７に設けたレール部４２に嵌入するとともに、上側の車輪２１，２１は、スプリング２１ａ,２１ａの弾性力によって上方へ移動し、天井面に設けたレール部４１に嵌入する。
【００７３】
したがって、いったん嵌入した車輪２１，２１，２２，２２は、人力などによって間仕切りユニット１を上方へ持ち上げない限り、レール部４１，４２の外へ出ることはなく、可動間仕切Ｗが横ずれ移動することはない。
【００７４】
さらに、あらかじめ、レール部４１，４２を適切な位置に埋設することによって、可動間仕切Ｗを適切な位置に設置することができる。
【００７５】
これとは逆に、壁の撤去時には、間仕切りユニット１を人力などによって上方へ持ち上げると、上側の車輪２１，２１の取付け軸がパネル部１０に対して相対的に下方に移動してパネル部１０に挿入されることで、レール部４１，４２に嵌入した車輪２１，２１，２２，２２を取り出せるため、可動間仕切Ｗを容易に撤去することができる。
【００７６】
また、壁として使用する際には、車輪２１，２１，２２，２２が、これとほぼ同等の幅を有するレール部４１，４２に嵌入されることで、壁厚方向の移動が制限されるため、可動間仕切Ｗを壁厚方向に固定することができる。
【００７７】
さらに、レール部４１，４２は、あらかじめ正確に位置決めして埋設することで、可動間仕切Ｗも正確な位置に設置することができるため、美観が向上する。
【００７８】
上記したように、間仕切りユニット１の上端、下端及び両側の接続面が、上側スカート部３１，３１、下側スカート部３２，３２及び弾性材料１３，１４によって、隙間なく埋められるため、高い防音性能を得ることができる。
【００７９】
また、間仕切りユニット１の上端、下端及び両側の接続面が可撓性材料によって、天井面６、床面７及び隣接する間仕切りユニット１に接しているため、隣接する間仕切りユニット１，１の接続面間の遊びや、間仕切りユニット１と溝状の凹部との間の遊びにもとづくガタつきを防止することができるとともに、壁としての強度を高めることが可能となる。
【実施例１】
【００８０】
以下、図５を用いて、前記実施の形態とは別の形態の可動間仕切Ｗについて説明する。なお、前記実施の形態で説明した内容と同一乃至均等な部分の説明については同一符号を付して説明する。
【００８１】
この実施例では、天井面６及び床面７に設けた凹部が、溝状に設けられずに、円弧状に複数設けられる場合について説明する。
【００８２】
本実施例の可動間仕切Ｗに用いる間仕切りユニット１は、図１及び図５に示すように、パネル部１０と、パネル部１０の上縁１１，１１に取り付けられる上側スカート部３１，３１と、パネル部１０の下縁１２，１２に取り付けられる下側スカート部３２，３２と、パネル部１０の上端に設けられた車輪２１，２１と、パネル部１０の下端に設けられた車輪２２，２２と、によって主に構成され、天井面６及び床面７には、凹部としての円弧状凹部４３，４３，４４，４４が設けられている。
【００８３】
なお、この他、突条１４及び凹条１３が設けられるが、簡単のため図５中では記載を省略している。
【００８４】
この円弧状凹部４３，４３，４４，４４は、壁厚方向の幅が車輪２１，２１，２２，２２の幅と略同等に形成されるとともに、壁接続方向は円弧状に形成される。
【００８５】
また、間仕切りユニット１は、それぞれがヒンジなどで連結されずに、別個独立に形成されている。
【００８６】
このように、凹部を円弧状に複数設けることで、間仕切りユニット１を１つずつ正確に設置できるため、可動間仕切Ｗの設置誤差を小さくすることができる。
【００８７】
また、間仕切りユニット１を複数接続することで、可動間仕切Ｗに交差する一方の常設壁８（図６参照）と他方の常設壁８との間の距離と同等の長さにして壁を形成し、壁接続方向の移動を制限する必要がない。
【００８８】
すなわち、円弧状凹部４３，４３，４４，４４が車輪２１，２１，２２，２２に対応する数だけ設けられていることで、間仕切りユニット１が壁接続方向に移動することを制限することができる。
【００８９】
したがって、例えば、可動間仕切Ｗを直線状でなく、途中で屈折するような形状とすることも可能となる。
【００９０】
さらに、凹部は円弧状に形成されることで、壁の撤去時には、車輪２１，２１，２２，２２を凹部から取り出すことが容易となる。
【００９１】
なお、この他の構成および作用効果については、前記実施の形態と略同様であるため説明を省略する。
【実施例２】
【００９２】
以下、図６を用いて、前記実施の形態及び実施例とは別の形態の可動間仕切Ｗについて説明する。なお、前記実施の形態で説明した内容と同一乃至均等な部分の説明については同一符号を付して説明する。
【００９３】
この実施例では、床面７に設けたレール部４２に、間仕切壁Ｗの高さと同等の長さを持つ柱状部材５が格納されている場合について説明する。
【００９４】
本実施例の可動間仕切Ｗは、壁として使用しない際には、柱状部材５が床面７に設けたレール部４２に格納され、壁として使用する際には、柱状部材５が取り出されて、常設壁８と端部の間仕切りユニット１との間に挟まれる。
【００９５】
この柱状部材５は、弾性材料などによって、溝状の凹部に嵌合する断面形状に形成されるとともに、可動間仕切Ｗの高さと略同等の長さに形成される。
【００９６】
さらに、柱状部材５は、格納時における上面が床面７と同様の外観を有するように形成されるとともに、下面が同間仕切りユニット１の端面に嵌合するように形成されている。
【００９７】
したがって、壁として使用しない際には、柱状部材５によって床面のレール部４２を塞ぐことができるため、美観が向上するとともに、人の歩行に支障となることがなくなる。
【００９８】
また、壁として使用する際には、柱状部材５が常設壁８と端部の間仕切りユニット１との間に挟まれて隙間を埋めることができるため、常設壁８と間仕切りユニット１を密着させて防音効果を高めることができる。
【００９９】
なお、この他の構成および作用効果については、前記実施の形態又は実施例と略同様であるため説明を省略する。
【実施例３】
【０１００】
以下、図７を用いて、前記実施の形態及び実施例とは別の形態の可動間仕切Ｗについて説明する。なお、前記実施の形態で説明した内容と同一乃至均等な部分の説明については同一符号を付して説明する。
【０１０１】
この実施例では、パネル部１０Ａの上端に上下方向に移動できる小壁９が備えられて、壁として使用する際には、天井面の凹部４１にこの小壁９の上縁が嵌入されるとともに、床面の凹部４２にパネル部１０Ａの下縁が嵌入される場合について説明する。
【０１０２】
本実施例の可動間仕切Ｗに用いる間仕切りユニット１Ａは、パネル部１０Ａの上端１５に上下方向に移動可能な小壁９が備えられている。
【０１０３】
この小壁９は、パネル部１０Ａの壁厚方向幅よりも幅が小さく形成され、上縁にはゴム製などのパッキン９１，９１を備えている。
【０１０４】
また、小壁９は、パネル部１０Ａに対する取付軸にスプリング９２を備えることで、天井面６の凹凸に追従するように上下方向に移動可能に形成されている。
【０１０５】
さらに、パネル部１０Ａの下縁には、ゴム製のパッキン１８，１８が貼設されている。
【０１０６】
一方、天井面６及び床面７には、溝状の凹部４１，４２が、壁厚方向の幅が小壁９及びパネル部１０Ａと略同一となるように形成されている。
【０１０７】
そして、壁として使用する際には、天井面６に設けた溝状の凹部４１に小壁９の上縁が嵌入されるとともに、床面７に設けた溝状の凹部４２にパネル部１０Ａの下縁が嵌入される。
【０１０８】
このため、間仕切りユニット１Ａと天井面６及び床面７との隙間が無くなるため、この隙間を通じて一方の部屋から他方の部屋へと音が漏れることを防ぐことができる。
【０１０９】
すなわち、小壁９及びパネル部１０Ａが溝状の凹部４１，４２に嵌入されることで、隣接する部屋間を連通する隙間を、防音性能の高い壁９，１０Ａ自体によって塞ぐことができるため、高い防音性能を得ることができる。
【０１１０】
この場合、パッキン１８，１８，９１，９１を有することで、間仕切りユニット１Ａと天井面６及び床面７の溝状の凹部４１，４２との隙間の密着度を高めることができるため、より高い防音性能を得ることができる。
【０１１１】
また、小壁９及びパネル部１０Ａと、溝状の凹部４１，４２との間に隙間が生じたとしても、隙間は直線状でなく、隙間の経路も長いため、防音性が高くなる。
【０１１２】
そして、パッキン１８，１８，９１，９１として、溝状の凹部４１，４２との間の摩擦抵抗の少ないものを用いれば、間仕切りユニット１Ａをスムーズに動かすことができる。
【０１１３】
また、小壁９及びパネル部１０Ａが、溝状の凹部４１，４２に嵌入されることで、間仕切りユニット１Ａを強固に固定することができる。
【０１１４】
すなわち、小壁９及びパネル部１０Ａは、間仕切りユニット１Ａの接続方向の幅の全長に渡って、溝状の凹部４１，４２にパッキン１８，１８，９１，９１を介して嵌入されるため、間仕切りユニット１Ａを壁厚方向に強固に固定することができる。
【０１１５】
なお、この他の構成および作用効果については、前記実施の形態又は実施例と略同様であるため説明を省略する。
【０１１６】
以上、図面を参照して、本発明の最良の実施の形態及び実施例を詳述してきたが、具体的な構成はこの実施の形態及び実施例に限らず、本発明の要旨を逸脱しない程度の設計的変更は、本発明に含まれる。
【０１１７】
例えば、本実施の形態及び実施例では、パネル部１０の上端１５及び下端１６に移動手段として車輪２１，２１，２２，２２を設ける場合を示したが、これに限定されるものではなく、上端１５または下端１６のいずれかに車輪を設けることもできるし、車輪を設けずに吊り構造としたものでもよい。
【０１１８】
また、本実施の形態及び実施例では、可撓性のスカート部３１，３１，３２，３２をパネル部１０の両側に取り付ける場合を示したが、これに限定されるものではなく、パネル部１０の片側に取り付けるものでもよい。
【０１１９】
さらに、本実施の形態及び実施例では、シート状の上側スカート部３１，３１及び下側スカート部３２，３２を用いる場合を示したが、シート状に限定されるものではなく、内部に空隙を有するチューブ状など、適度な可撓性を有する構造であればどのような形状のものを用いてもよい。
【０１２０】
そして、本実施の形態及び実施例では、パネル部１０の面材として樹脂製などの面材を用いた場合を示したが、これに限定されるものではなく、例えば厚地の布地素材を用いてもよい。
【０１２１】
また、本実施の形態及び実施例では、パネル部１０の面材と面材の間に形成される空隙には他の部材を設けていないが、これに限定されるものではなく、吸音部材を設けて防音性能を高めてもよい。
【図面の簡単な説明】
【０１２２】
【図１】本発明の最良の実施の形態の可動間仕切に用いる間仕切りユニットの構成を説明する断面図である。
【図２】本発明の最良の実施の形態の可動間仕切の全体構成を説明する斜視図であって、（ａ）は、可動間仕切の設置前の斜視図であり、（ｂ）は可動間仕切の設置後の斜視図である。
【図３】本発明の最良の実施の形態の可動間仕切に用いる間仕切りユニットの構成を説明する斜視図である。
【図４】本発明の最良の実施の形態の可動間仕切に用いる間仕切りユニットの接続部の構成を説明した断面図であって、（ａ）は間仕切りユニットの端面を接続する前の断面図であり、（ｂ）は間仕切りユニットの端面を接続した後の断面図である。
【図５】本発明の実施例１の可動間仕切に用いる間仕切りユニットの構成を説明する斜視図である。
【図６】本発明の実施例２の可動間仕切の概略構成を説明する斜視図であって、（ａ）は、可動間仕切の設置前の斜視図であり、（ｂ）は可動間仕切の設置後の斜視図である。
【図７】本発明の実施例３の可動間仕切に用いる間仕切りユニットの構成を説明する断面図である。
【符号の説明】
【０１２３】
Ｗ            可動間仕切
１，１Ａ      間仕切りユニット
１０，１０Ａ  パネル部
１１          上縁
１２          下縁
１３          凹条
１４          突条
１５          上端
１６          下端
２１，２２    車輪（移動手段）
３１          上側スカート部
３２          下側スカート部
４１，４２    レール部（凹部）
４３，４４    円弧状凹部（凹部）
５            柱状部材
６            天井面
７          床面
８          常設壁
【図１】
2008156855.tif 000003
【図２】
2008156855.tif 000004
【図３】
2008156855.tif 000005
【図４】
2008156855.tif 000006
【図５】
2008156855.tif 000007
【図６】
2008156855.tif 000008
【図７】
2008156855.tif 000009